(57)【要約】      （修正有）【課題】建物の天井へ取付けられる機器の設置にともなう利便性を向上することができる吊り治具を提供する。【解決手段】建物１００の天井１１０へ取付けられる機器２００を吊下げて引上げるための吊り治具５００であって、上方へ向かって牽引されるフレーム部材５１０と、機器２００へ取付けられた吊り具４００をフレーム部材５１０へ係止する係止部５２０と、を備え、係止部５２０は、平面視における機器２００の最外周の内側に位置する。【選択図】図１
0003233153.tif 000002
【実用新案登録請求の範囲】
【請求項１】
建物の天井へ取付けられる機器を吊下げて引上げるための吊り治具であって、
上方へ向かって牽引されるフレーム部材と、
前記機器へ取付けられた吊り具を前記フレーム部材へ係止する係止部と、
を備え、
前記係止部は、平面視における前記機器の最外周の内側に位置することを特徴とする吊り治具。
【請求項２】
前記吊り具は、前記機器の下面を支持する、複数本の吊り紐部材を有し、
各々の前記吊り紐部材の二つの上端部は、前記フレーム部材へ係止されることを特徴とする請求項１に記載の吊り治具。
【請求項３】
前記機器は、前記天井へ取付けられた架台を介して前記天井へ取付けられ、
前記フレーム部材の平面視における大きさは、前記架台の平面視における大きさより小さいことを特徴とする請求項１または２に記載の吊り治具。
【考案の詳細な説明】
【技術分野】
【０００１】
本考案は、建物の天井へ取付けられる機器を吊下げて引上げるための吊り治具に関する。
【背景技術】
【０００２】
天井裏に固定された吊下げボルトを、天吊り型空調機に設けた連結部の挿通孔に挿通し、吊下げボルトに螺合したナットが挿通孔の周縁の下面に当接して、天吊り型空調機の荷重をナット及び吊下げボルトで支持するように構成され、連結部には、挿通孔の外に、吊下げボルトが水平方向に通過して挿通孔に進入可能な切り欠き部が設けられている天吊り型空調機の支持構造が、知られている（たとえば、特許文献１参照）。
【先行技術文献】
【特許文献】
【０００３】
【特許文献１】特開２０１８−１１２３４４号公報
【考案の概要】
【考案が解決しようとする課題】
【０００４】
しかしながら、たとえば、上述された支持構造の如き架台が利用される従来の機器取付けについては、建物の天井へ取付けられる機器の設置にともなう利便性は必ずしも十分に高くない。
【０００５】
より具体的には、本考案者は、機器取付けにともなう作業費用の低減のみならず、危険性の低減を促進することが今後ますます重要になると予想している。
【０００６】
そして、本考案者は、施工性の向上を目指すために、建物の天井へ取付けられる機器の設置にともなう利便性が高い、吊下げによる機器の引上げが極めて望ましいことに想到した。
【０００７】
本考案は、上述された従来の課題を考慮し、建物の天井へ取付けられる機器の設置にともなう利便性を向上することができる吊り治具を提供することを目的とする。
【課題を解決するための手段】
【０００８】
第１の本考案は、建物の天井へ取付けられる機器を吊下げて引上げるための吊り治具であって、
上方へ向かって牽引されるフレーム部材と、
前記機器へ取付けられた吊り具を前記フレーム部材へ係止する係止部と、
を備え、
前記係止部は、平面視における前記機器の最外周の内側に位置することを特徴とする吊り治具である。
【０００９】
第２の本考案は、前記吊り具は、前記機器の下面を支持する、複数本の吊り紐部材を有し、
各々の前記吊り紐部材の二つの上端部は、前記フレーム部材へ係止されることを特徴とする第１の本考案の吊り治具である。
【００１０】
第３の本考案は、前記機器は、前記天井へ取付けられた架台を介して前記天井へ取付けられ、
前記フレーム部材の平面視における大きさは、前記架台の平面視における大きさより小さいことを特徴とする第１または第２の本考案の吊り治具である。
【考案の効果】
【００１１】
本考案により、建物の天井へ取付けられる機器の設置にともなう利便性を向上することが可能な吊り治具を提供することができる。
【図面の簡単な説明】
【００１２】
【図１】（ａ）本考案における実施の形態の機器、架台、吊り具および吊り治具の模式的な正面図（その一）、（ｂ）本考案における実施の形態の機器、架台、吊り具および吊り治具の模式的な正面図（その二）
【図２】本考案における実施の形態の機器、吊り具および吊り治具の斜視図
【図３】本考案における実施の形態の機器、架台および吊り治具の斜視図
【図４】本考案における実施の形態の吊り治具のフレーム部材および係止部近傍の部分斜視図
【図５】本考案における実施の形態の吊り治具のフレーム部材近傍の部分斜視図
【考案を実施するための形態】
【００１３】
図面を参照しながら、本考案における実施の形態について詳細に説明する。
【００１４】
以下同様であるが、いくつかの構成要素は図面において示されていないこともあるし透視的にまたは省略的に示されていることもある。
【００１５】
建物１００は、本考案の建物の例である。天井１１０は、本考案の天井の例である。
【００１６】
機器２００は、本考案の機器の例である。下面２００ｄは、本考案の下面の例である。
【００１７】
架台３００は、本考案の架台の例である。
【００１８】
吊り具４００は、本考案の吊り具の例である。二本の吊り紐部材４１０は、本考案の複数本の吊り紐部材の例である。上端部４１０ｕは、本考案の上端部の例である。
【００１９】
吊り治具５００は、本考案の吊り治具の例である。
【００２０】
フレーム部材５１０は、本考案のフレーム部材の例である。
【００２１】
係止部５２０は、本考案の係止部の例である。
【００２２】
はじめに、図１（ａ）および１（ｂ）ならびに２および３を参照しながら、本実施の形態の吊り治具５００について具体的に説明する。
【００２３】
ここに、図１（ａ）および１（ｂ）は本考案における実施の形態の機器２００、架台３００、吊り具４００および吊り治具５００の模式的な正面図（その一および二）であり、図２は本考案における実施の形態の機器２００、吊り具４００および吊り治具５００の斜視図であり、図３は本考案における実施の形態の機器２００、架台３００および吊り治具５００の斜視図である。
【００２４】
吊り治具５００は、建物１００の天井１１０へ取付けられる機器２００を吊下げて引上げるための吊り治具である。
【００２５】
たとえば、建物１００は大都市における商業ビルディングなどであり、機器２００はエアコンディショナーなどである。
【００２６】
重量がおよそ４０から１５０キログラムである重量機器としての機器２００はウィンチ６００などにより牽引されるウィンチワイヤー６１０などで吊下げられて引上げられるので、床からの高さがおよそ１メートルである機器受け台を押上げる、アッパーとも呼ばれる揚重器は不要である。したがって、多数の揚重取付け専門作業員による搬入作業は要求されず、機器取付けにともなう作業費用のみならず危険性も低減され、作業効率が向上される。
【００２７】
吊り治具５００は、フレーム部材５１０と、係止部５２０と、を有する。
【００２８】
フレーム部材５１０は、上方へ向かって牽引されるフレーム部材である。
【００２９】
係止部５２０は、機器２００へ取付けられた吊り具４００をフレーム部材５１０へ係止する係止部である。
【００３０】
このような吊り治具揚重工法においては、ナイロンスリングなどのような吊り紐部材４１０を有する吊り具４００が吊り治具５００とともに利用される。
【００３１】
機器２００と吊り治具５００との間には、機器２００の損傷などを抑制するための紙または布などが挿入されてもよい。
【００３２】
係止部５２０は、平面視における機器２００の最外周の内側に位置する。
【００３３】
吊り治具５００の幅は機器２００の幅より小さく、係止部５２０のアイボルト５２１の位置は機器幅内側位置であるので、吊り治具５００は機器２００の内側に位置する。したがって、上方へ向かってのフレーム部材５１０の牽引にともない、吊下げられた機器２００は吊り紐部材４１０で自然に抑込まれてほとんど揺れず、安定した機器吊下げが行われる。かくして、床の上方からのウインチ揚重が利用される揚重施工が、およそ二人の作業員で安全に実現される。
【００３４】
つぎに、図２および４を主として参照しながら、本実施の形態の吊り治具５００についてより具体的に説明する。
【００３５】
ここに、図４は、本考案における実施の形態の吊り治具５００のフレーム部材５１０および係止部５２０近傍の部分斜視図である。
【００３６】
吊り具４００は、機器２００の下面２００ｄを支持する、二本の吊り紐部材４１０を有する。
【００３７】
各々の吊り紐部材４１０の二つの上端部４１０ｕは、フレーム部材５１０へ係止される。
【００３８】
かくして、二つの上端部４１０ｕがフレーム部材５１０へ係止される一本の吊り紐部材４１０が機器２００の下面２００ｄをしっかり支持するので、吊り具４００の部品点数が少ない構成を実現することができる。
【００３９】
吊り紐部材４１０の上端部４１０ｕが環状金具などを利用して係止される、アイボルト５２１を装着するためのフレーム部材５１０の孔の個数は、アイボルト５２１の位置がバランス性などを考慮して調節可能であるように複数であってもよい。
【００４０】
つぎに、図１（ａ）および１（ｂ）ならびに５を主として参照しながら、本実施の形態の吊り治具５００についてさらにより具体的に説明する。
【００４１】
ここに、図５は、本考案における実施の形態の吊り治具５００のフレーム部材５１０近傍の部分斜視図である。
【００４２】
機器２００は、天井１１０へ取付けられた架台３００を介して天井１１０へ取付けられる。
【００４３】
フレーム部材５１０の平面視における大きさは、架台３００の平面視における大きさより小さい。
【００４４】
ウィンチワイヤー６１０の下端部が鉤状金具などを利用して係止される、アイボルト５１１を装着するためのフレーム部材５１０の孔の個数は、アイボルト５１１の位置がバランス性などを考慮して調節可能であるように複数であってもよい。
【００４５】
吊り治具５００の幅は架台３００の幅より大きくないので、いわゆる吊り治具跳出しはほとんど発生しない。かくして、上方へ向かってのフレーム部材５１０の牽引が行われるとき、機器２００の引上げがフレーム部材５１０と架台３００との間の接触で妨げられにくい構成を実現することができる。
【産業上の利用可能性】
【００４６】
本考案における吊り治具は、建物の天井へ取付けられる機器の設置にともなう利便性を向上することができ、建物の天井へ取付けられる機器を吊下げて引上げるための吊り治具に利用する目的に有用である。
【符号の説明】
【００４７】
１００  建物
１１０  天井
２００  機器
２００ｄ  下面
３００  架台
４００  吊り具
４１０  吊り紐部材
４１０ｕ  上端部
５００  吊り治具
５１０  フレーム部材
５１１  アイボルト
５２０  係止部
５２１  アイボルト
６００  ウィンチ
６１０  ウィンチワイヤー
【図１】
0003233153.tif 000003
【図２】
0003233153.tif 000004
【図３】
0003233153.tif 000005
【図４】
0003233153.tif 000006
【図５】
0003233153.tif 000007